(57)【要約】【課題】掌側の透湿性と甲側の保湿性が適度に調和した保湿手袋を提供する。【解決手段】手袋（１）の甲側（２）の生地は少なくとも２層（２０ａ，２０ｂ）からなり、そのうち少なくとも１層は、合成樹脂フィルムのラミネート層（２０ｂ）から形成され、手袋の掌側（３）は、透湿性を有する生地（３０ａ）から形成されていることを特徴とする保湿手袋。である。透湿性のある生地（２０ａ，３０ａ）は、例えば、綿、レーヨン、ポリエステル、ポリウレタン等の糸を使用して天竺編みやレース編みなどに編成した編地である。ラミネートする合成樹脂（２０ｂ）は、例えば、ポリウレタンである。【選択図】図３
0003117099.tif 000002
【実用新案登録請求の範囲】
【請求項１】
手袋（１）の甲側（２）の生地は少なくとも２層からなり、そのうち少なくとも１層は、合成樹脂フィルムのラミネート層（２０ｂ）から形成され、手袋の掌側（３）は、透湿性を有する生地（３０ａ）から形成されていることを特徴とする保湿手袋。
【請求項２】
手袋（１Ａ）の甲側（２ａ）の全部及び掌側（３ａ）の指部の上半分の生地は少なくとも２層からなり、そのうち少なくとも１層は、合成樹脂フィルムのラミネート層（２０ｂ，３０ｂ）から形成され、手袋の掌側（３ａ）は前記指部の上半分を除いて透湿性を有する生地（３０ａ）から形成されていることを特徴とする保湿手袋。
【請求項３】
手袋（１Ａ）の甲側（２ａ）と掌側（３ａ）の間のマチ部も、指部の上半分の生地は少なくとも２層からなり、そのうち少なくとも１層は、合成樹脂フィルムのラミネート層（２０ｂ，３０ｂ）から形成されている請求項１記載の保湿手袋。
【請求項４】
透湿性のある生地（３０ａ）が、綿、レーヨン、ポリエステル、ポリウレタン等の糸を使用して天竺編みやレース編みなどに編成した編地である請求項１ないし３のいずれかに記載の保湿手袋。
【請求項５】
合成樹脂フィルムのラミネート層（２０ｂ，３０ｂ）がポリウレタンである請求項１ないし３のいずれかに記載の保湿手袋。
【請求項６】
前記掌側（３ａ）の指部の上半分にうち、第１関節部よりも上の部分（３２ｂ〜３６ｂ）及び第１関節部よりも上のマチ部（４ｂ，５ｂ，６ｂ，７ｂ，８ｂ，９ｂ，１０ｂ）の生地が少なくとも２層からなり、そのうち少なくとも１層は、合成樹脂フィルムのラミネート層（３０ｂ）から形成されている請求項２又は３記載の保湿手袋。
【考案の詳細な説明】
【技術分野】
【０００１】
本考案は、手の甲がカサカサになったり潤いがなくなったりするのを防止するために、睡眠時に着用して使用する保湿手袋に関するものである。
【背景技術】
【０００２】
この種の保湿手袋として、例えば下記特許文献１の考案が知られている。これは、手袋の甲の側は、目詰まりが生じにくく長期間にわたって透湿性を維持するよう加工されたポリエステル又はナイロン生地から形成され、手袋の掌の側は、合成樹脂フィルムをラミネートして保湿効果を高めたポリエステル又はナイロン生地から形成されてなることを特徴とする手袋である。
【特許文献１】実用新案登録第３０４０７２８号
【考案の開示】
【考案が解決しようとする課題】
【０００３】
前記特許文献１の手袋は、手袋の甲の側に透湿性を与え、手袋の掌の側に保湿効果を与えるようにしている。しかし、「手に汗を握る」という慣用表現があるように、人間がよく汗をかくのは掌側であって、甲の側ではない。この従来技術の手袋を着用して就寝すると手が汗ばみ、寝苦しく感じるという体験報告があった。
【０００４】
そこで、前記特許文献１の手袋と素材の配置を逆にしてみたところ、前記特許文献１の手袋の欠点がほとんど解消された。本考案のこの知見に基づくものであり、透湿性と保湿性が適度に調和した新たな保湿手袋を提供することを目的とする。
【課題を解決するための手段】
【０００５】
本考案の保湿手袋は、第１の観点では、手袋の甲側の生地は少なくとも２層からなり、そのうち少なくとも１層は、合成樹脂フィルムのラミネート層から形成され、手袋の掌側は、透湿性を有する生地から形成されていることを特徴とする手袋である。
【０００６】
第２の観点では、本考案は、手袋の甲側の全部及び掌側の指部の上半分の生地は少なくとも２層からなり、そのうち少なくとも１層は、合成樹脂フィルムのラミネート層から形成され、手袋の掌側は前記指部の上半分を除いて透湿性を有する生地から形成されていることを特徴とする保湿手袋である。
【考案の効果】
【０００７】
第１の観点における本考案の保湿手袋は、手袋の甲側は、合成樹脂フィルムをラミネートして保湿効果を高めた生地から形成されているので、睡眠時に着用して使用すると、手の甲がカサカサになったり潤いがなくなったりするのを防止することができる。それでいて、手袋の掌の側は、透湿性を有する生地から形成されているので、暑苦しい思いをすることが少ない。
【０００８】
第２の観点における本考案の保湿手袋は、第１の観点における保湿手袋と同様の効果が得られる。さらに加えて、手袋の掌側の指部の上半分も、合成樹脂フィルムをラミネートして保湿効果を高めた生地から形成されているので、睡眠時に着用して使用すると、指先腹部がカサカサになったり潤いがなくなったりするのを防止することができる。しかも、手袋の掌側の大部分は、透湿性を有する生地から形成されているので、暑苦しい思いをすることが少ない。
【考案を実施するための最良の形態】
【０００９】
本考案の第１及び第２の観点において、手袋の甲側は２層からなる。肌側の下層は、透湿性のある生地からなる。そのような生地の例としては、綿、レーヨン、ポリエステル、ポリウレタン等の糸を使用して天竺編みやレース編みなどに編成した編地を使用することができる。外側の上層はポリウレタン等の合成樹脂フィルムを前記下層にラミネートしてなる。
【００１０】
この手袋の掌側は、第１の観点では、前記甲の側の下層と同じである。したがって、透湿性のある生地からなる。そのような生地の例としては、綿、レーヨン、ポリエステル、ポリウレタン等の糸を使用して天竺編みやレース編みなどに編成した編地を使用することができる。別の見方をすれば、本考案の手袋は、透湿性のある生地で製造された従来の手袋の甲の側だけを合成樹脂フィルムをラミネートしたものということもできる。
【００１１】
本考案の第２の観点における手袋では、掌側の指部の上半分も手袋の甲側と同じ構造を有する。特に好ましいのは、指部の第１関節部より上側を手袋の甲側と同じ構造とすることである。
【００１２】
さらに手袋の甲側と掌側の間のマチ部も、指部の上半分の生地は手袋の甲側と同じ構造とするのが好ましい。特に好ましいのは、マチ部の第１関節部より上側を手袋の甲側と同じ構造とすることである。
【００１３】
掌側のそれ以外は、第１の観点の手袋と同じく、透湿性を有する生地から形成されている。
【実施例１】
【００１４】
以下、本考案の第１実施例に係る保湿手袋１について、添付図面に基づき、さらに詳細に説明する。
【００１５】
図１及び図２は、保湿手袋１の一実施例を示す図であり、図１は背面図、図２は正面図、図３は図１の３−３断面図を示している。なお、これらの図では、左右対称のもの一対のうち左方のみをあらわしている。
【００１６】
この実施例の保湿手袋１は、手首から指先までをすっぽりと覆うものであり、主として、手の甲の側を覆う甲側布片２と、掌の側を覆う掌側布片３とから形成されている。
【００１７】
甲側布片２は、親指、人指し指、中指、薬指、小指の各先端部から手首までの甲側を覆うように形成されている。つまり、ほぼ長方形状に形成された甲被覆部２１の先端側に、５つの細長い指被覆部２２，２３，２４，２５，２６が連設された形状である。
【００１８】
この甲側布片２は、２層からなる。下層２ａは、綿糸１００％で天竺編みした編地から形成されている。上層２ｂは、下層２ａの上にラミネートされたポリウレタンフィルム層である。
【００１９】
一方、掌側布片３は、前記甲側布片２とほぼ同一形状に形成されてなる。すなわち、掌被覆部３１の先端側に５つの指被覆部３２，３３，３４，３５，３６が連設された形状である。
【００２０】
掌側布片３は、甲側布片２と重ね合わされ、これら両布片２，３は、各左右の側端縁同士、すなわち人指し指又は小指の各先端部から手首までの左右両側辺が縫合されている。
【００２１】
さらに、人指し指と中指との間、中指と薬指との間、薬指と小指との間は、それぞれ、マチ布片４〜１０（図１，図２）を介して、甲側布片２と掌側布片３とが縫合されて指を入れるための筒状に形成されている。
【００２２】
すなわち、各マチ布片４〜１０は、細長く形成され、指の付け根部分でほぼＶ字形状に２つ折りされた後、周側端縁を甲側布片２又は掌側布片３の各指被覆部２２〜２５，３２〜３５の端縁に縫合されている。これらマチ布片４〜１０は、掌側布片３と同一の生地、つまり綿糸１００％で天竺編みした編地から形成されている。
【００２３】
保湿手袋１の基端部に形成された手を差し込むための開口７の周囲は、甲側布片２及び掌側布片３が内側に折り返されてジグザグにミシン掛け８されて縫合されている。
【００２４】
本考案の保湿手袋１は、睡眠時に着用したり、風呂上がりのしっとりとしている時に着用して使用するのが効果的である。薬剤やクリームを手に塗布したあとで着用するとなお一層効果的である。
【００２５】
本考案の保湿手袋１は、上記のような構成であるから、着用することにより、抜群の保湿効果によって、手の甲の荒れを防止、改善することができる。よって、特に、手があれやすく、常にカサカサしている人、乾燥肌の人にとって最適である。
【実施例２】
【００２６】
図４及び図５は、第２実施例に係る保湿手袋１Ａを示す図であり、図４は背面図、図５は正面図、図３は図５の６−６断面図を示している。なお、これらの図では、左右対称のもの一対のうち左方のみをあらわしている。
【００２７】
第２実施例が第１実施例と異なるのは、図６に示すように、掌側手袋の指部３２ａ〜３６ａの第１関節部より上側部分３２ｂ〜３６ｂも２層３０ａ，３０ｂからなることである。上層３０ｂは、下層２０ａの上にラミネートされたポリウレタンフィルム層である。マチ布片４ａ〜１０ｂ（図４，図５）についても、第１関節部より上側部分４ｂ，５ｂ，６ｂは同様の処理がされている。その他の部分については、第１実施例の符号に「ａ」を付加してその説明を省略する。
【００２８】
第２実施例によれば、第１実施例に比べ、手の甲だけでなく指先腹部の荒れも防止、改善することができる。
【図面の簡単な説明】
【００２９】
【図１】第１実施例の保湿手袋１を示す背面図である。
【図２】第１実施例保湿手袋１を示す正面図である。
【図３】図１の３−３断面図である。
【図４】第２実施例の保湿手袋１Ａを示す背面図である。
【図５】第２実施例の保湿手袋１Ａを示す正面図である。
【図６】図５の６−６断面図である。
【符号の説明】
【００３０】
１，１Ａ      保湿手袋
２，２ａ      甲側布片
３，３ａ      掌側布片
４〜１０      マチ部
２０ａ，３０ａ              下層
２０ｂ，３０ｂ              上層（合成樹脂のラミネート層）
３２ｂ〜３６ｂ       指部の第１関節部より上の部分
４ｂ〜１０ｂ         マチ部第１関節部より上の部分
【図１】
0003117099.tif 000003
【図２】
0003117099.tif 000004
【図３】
0003117099.tif 000005
【図４】
0003117099.tif 000006
【図５】
0003117099.tif 000007
【図６】
0003117099.tif 000008